(57)【要約】【課題】  簡易な構成により早期にインク吸収体の状態を推定することができる。【解決方法】  インクを吐出して記録を行う記録ヘッドと、記録ヘッドから吐出されたインクを収容するインク吸収体と、を備えるインクジェット記録装置であって、インク吸収体の所定の位置に向けて光を発する発光部と、当該発光部より発せられインク吸収体より反射さし光を受光する受光部とを有するセンサと、受光部が受光した光量に基づいて、インク吸収体の状態を推定する制御手段と、を備えることを特徴とする。【選択図】  図９
2018069616.tif 000002
【特許請求の範囲】
【請求項１】
インクを吐出して記録を行う記録ヘッドと、
前記記録ヘッドから吐出されたインクを収容するインク吸収体と、を備えるインクジェット記録装置であって、
前記インク吸収体の所定の位置に向けて光を発する発光部と、当該発光部より発せられ前記インク吸収体より反射した光を受光する受光部とを有するセンサと、
前記受光部が受光した光量に基づいて、前記インク吸収体の状態を推定する制御手段と、を備えることを特徴とするインクジェット記録装置。
【請求項２】
前記制御手段は、前記受光部が受光した光量が閾値より大きい場合、前記インク吸収体が異常な状態であると推定することを特徴とする請求項１に記載のインクジェット記録装置。
【請求項３】
前記制御手段は、前記受光部が受光した光量が閾値より大きい場合、前記インク吸収体にインクの堆積または溢れが生じていると推定することを特徴とする請求項１または２に記載のインクジェット記録装置。
【請求項４】
前記制御手段は、前記インク吸収体に前記記録ヘッドから吐出されたインク量が所定量以上である場合に前記インク吸収体に前記インクの堆積が生じていると推定し、前記インク量が前記所定量未満である場合に前記インク吸収体に前記インクの溢れが生じていると推定することを特徴とする請求項３に記載のインクジェット記録装置。
【請求項５】
前記制御手段は、前記湿度が所定湿度以下である場合に前記インク吸収体に前記インクの堆積が生じていると推定し、前記湿度が所定湿度より大きい場合に前記インク吸収体に前記インクの溢れが生じていると推定することを特徴とする請求項３に記載のインクジェット記録装置。
【請求項６】
前記記録ヘッドは、記録媒体外の位置に対してもインクを吐出して画像を記録する縁なし記録を行い、
前記所定の位置は、前記縁なし記録において前記記録媒体外にインクが吐出される位置であることを特徴とする請求項１ないし５のいずれか１項に記載のインクジェット記録装置。
【請求項７】
前記記録ヘッドは、記録媒体外の位置に対してインクを吐出する予備吐出動作を行い、
前記所定の位置は、前記予備吐出動作においてインクが吐出される位置であることを特徴とする請求項１ないし５のいずれか１項に記載のインクジェット記録装置。
【請求項８】
前記センサは、前記発光部により発せられ前記インク吸収体より反射した正反射光を前記受光部により受光することを特徴とする請求項１ないし７のいずれか１項に記載のインクジェット記録装置。
【請求項９】
前記センサは、前記発光部により発せられ前記インク吸収体より反射した光を前記受光部により受光することによって、前記インク吸収体の光沢度を測定することを特徴とする請求項１ないし８のいずれか１項に記載のインクジェット記録装置。
【請求項１０】
前記センサは、記録動作の終了後に、前記発光部により前記インク吸収体の所定の位置に向けて光を発し前記受光部により前記インク吸収体より反射した光を受光する検出動作を行うことを特徴とする請求項１ないし９のいずれか１項に記載のインクジェット記録装置。
【請求項１１】
前記センサは、前記記録ヘッドにより記録媒体外の位置に対してもインクを吐出して画像を記録する縁なし記録の終了後に、前記検出動作を行うことを特徴とする請求項１０に記載のインクジェット記録装置。
【請求項１２】
前記インク吸収体に前記記録ヘッドから所定量以上のインクが吐出された状態のときに前記受光部が受光する光量は、前記インク吸収体に前記所定量未満のインクが吐出された状態のときに前記受光部が受光する光量よりも小さいことを特徴とする請求項１ないし１１のいずれか１項に記載のインクジェット記録装置。
【請求項１３】
前記記録ヘッドを搭載し記録媒体の搬送方向と交差する方向に移動するキャリッジをさらに備え、
前記センサは、前記キャリッジに設けられていることを特徴とする請求項１ないし１２のいずれか１項に記載のインクジェット記録装置。
【請求項１４】
搬送される記録媒体を下方より支持するプラテンをさらに備え、
前記インク吸収体は、前記プラテンに設けられていることを特徴とする請求項１ないし１３のいずれか１項に記載のインクジェット記録装置。
【請求項１５】
前記記録ヘッドの吐出口面を覆うキャップをさらに備え、
前記インク吸収体は、前記キャップに設けられていることを特徴とする請求項１ないし１３のいずれか１項に記載のインクジェット記録装置。
【請求項１６】
搬送される記録媒体を下方より支持するプラテンと、
前記記録ヘッドの吐出口面を覆うキャップと、
前記キャップが前記吐出口面を覆った状態で前記記録ヘッドからインクを吸引する吸引動作を行うポンプと、をさらに備え、
前記プラテンには、第１のインク吸収体が設けられ、
前記キャップには、第２のインク吸収体が設けられ、
前記制御手段は、前記所定の位置が前記第２のインク吸収体上の位置である場合は前記ポンプに前記吸引動作を行わせることを特徴とする請求項１ないし１３のいずれか１項に記載のインクジェット記録装置。
【請求項１７】
前記制御手段は、前記センサに前記発光部により前記インク吸収体の所定の位置に向けて光を発し前記受光部により前記インク吸収体より反射した光を受光する検出動作を行わせ、該検出動作において前記受光部が受光した光量が閾値より大きい場合は、所定時間待機した後に、前記センサに再度の前記検出動作を行わせ、該再度の検出動作において前記受光部が受光した光量が閾値より大きい場合に、前記インク吸収体にインクの堆積または溢れが生じていると推定することを特徴とする請求項１ないし１６のいずれか１項に記載のインクジェット記録装置。
【請求項１８】
前記記録ヘッドは、第１のインク群のインクを吐出する第１の吐出口と第２のインク群のインクを吐出する第２の吐出口とを有し、
前記制御手段は、前記インク吸収体にインクの堆積が生じていると推定した場合、前記所定の位置において吐出された前記第１のインク群の吐出量に基づいた吐出量で前記記録ヘッドに前記第２のインク群のインクを吐出させることを特徴とする請求項１ないし１７のいずれか１項に記載のインクジェット記録装置。
【請求項１９】
前記第１のインク群のインクは、前記インク吸収体に堆積しやすいインクであり、
前記第２のインク群のインクは、前記第１のインク群のインクの堆積を抑制するインクであることを特徴とする請求項１８に記載のインクジェット記録装置。
【請求項２０】
前記第１のインク群は、マゼンタインク、シアンインク、イエローインク、ブラックインクまたはレッドインクを含み、
前記第２のインク群は、ライトシアンインク、ライトマゼンタインクまたはクリアインクを含むことを特徴とする請求項１８または１９に記載のインクジェット記録装置。
【請求項２１】
前記制御手段は、前記インク吸収体にインクの堆積が生じていると推定した場合、ユーザに対して警告を表示することを特徴とする請求項１ないし１７のいずれか１項に記載のインクジェット記録装置。
【請求項２２】
前記制御手段は、前記インク吸収体にインクの溢れが生じていると推定した場合、次の記録動作が開始される前に所定の待機時間を設けることを特徴とする請求項１ないし２１のいずれか１項に記載のインクジェット記録装置。
【請求項２３】
前記制御手段は、前記インク吸収体にインクの溢れが生じていると推定した場合、次の記録動作中に所定の待機時間を設けることを特徴とする請求項１ないし２１のいずれか１項に記載のインクジェット記録装置。
【請求項２４】
前記制御手段は、前記インク吸収体にインクの溢れが生じていると推定した場合、次の記録動作において前記所定の位置とは別の位置に対して予備吐出動作を行うことを特徴とする請求項１ないし２１のいずれか１項に記載のインクジェット記録装置。
【請求項２５】
前記記録ヘッドから排出された廃インクを内部に収容する廃インク収容部をさらに備え、
前記インク吸収体は、前記廃インク収容部の内部に設けられていることを特徴とする請求項１ないし１２のいずれか１項に記載のインクジェット記録装置。
【請求項２６】
前記制御手段は、廃インク量が所定量以上である場合に前記インク吸収体にインクの堆積が生じていると推定し、前記廃インク量が前記所定量未満である場合に前記インク吸収体にインクの溢れが生じていると推定することを特徴とする請求項２５に記載のインクジェット記録装置。
【請求項２７】
前記制御手段は、前記インク吸収体にインクの堆積が生じていると推定した場合、ユーザに対しての警告を表示することを特徴とする請求項２５または２６に記載のインクジェット記録装置。
【請求項２８】
前記制御手段は、前記インク吸収体にインクの溢れが生じていると推定した場合、ユーザーによっては回復することができないエラーである旨を表示することを特徴とする請求項２５ないし２７のいずれか１項に記載のインクジェット記録装置。
【請求項２９】
前記制御手段は、廃インク量が所定量以上である場合に前記インク吸収体にインクの堆積または溢れが生じていると推定することを特徴とする請求項２５に記載のインクジェット記録装置。
【請求項３０】
前記制御手段は、前記受光部が受光した光量が閾値より大きい場合に前記インク吸収体にインクの堆積が生じていると推定し、前記光量が前記閾値より大きい場合に前記インク吸収体にインクの溢れが生じていると推定することを特徴とする請求項２９に記載のインクジェット記録装置。
【請求項３１】
前記制御手段は、前記インク吸収体にインクの堆積が生じていると推定した場合、ユーザに対しての警告を表示することを特徴とする請求項２９または３０に記載のインクジェット記録装置。
【請求項３２】
前記制御手段は、前記インク吸収体にインクの溢れが生じていると推定した場合、ユーザーによっては回復することができないエラーである旨を表示することを特徴とする請求項２９ないし３１のいずれか１項に記載のインクジェット記録装置。
【請求項３３】
前記記録ヘッドは、記録媒体の全幅の範囲に亘ってインクを吐出可能なライン型記録ヘッドであることを特徴とする請求項１ないし１２のいずれか１項に記載のインクジェット記録装置。
【請求項３４】
記録媒体の搬送方向に沿って第１のライン型記録ヘッドと第２のライン型記録ヘッドとが配置され、
前記センサは、前記第１のライン型記録ヘッドと前記第２のライン型記録ヘッドとの間に設けられていることを特徴とする請求項３３に記載のインクジェット記録装置。
【請求項３５】
前記センサは、記録媒体の搬送方向において前記ライン型記録ヘッドの下流側に設けられていることを特徴とする請求項３３または３４に記載のインクジェット記録装置。
【発明の詳細な説明】
【技術分野】
【０００１】
本発明は、インクジェット記録装置に関する。
【背景技術】
【０００２】
特許文献１には、インクを吐出する記録ヘッドと、記録ヘッドから吐出されて吸収材上に堆積した堆積インクの高さを検出する検出部と、を備えた装置が開示されている。当該装置は、検出部により堆積インクの高さが所定高さ以上であると検出された場合に、堆積インクを除去する制御を行うことができる。
【先行技術文献】
【特許文献】
【０００３】
【特許文献１】特開２００４−１６７９４５号公報
【発明の概要】
【発明が解決しようとする課題】
【０００４】
しかしながら、特許文献１に記載の装置のように堆積インクの高さを検出する方法の場合、堆積インクの高さを検出するためには、堆積インクがその高さが検出できる程度にインク吸収体上に堆積していなければならない。そのような場合、特に顔料インクにおいては、既にインクの増粘・固着がかなり進んだ状態となっており、その後の堆積インクの除去が困難となるおそれがある。固着が進んだ堆積インクを除去する方法として、例えば、堆積インクを機械的に除去する機構を設けることが考えられる。しかし、新たな機構を設けることによりコストの増大、装置の大型化を招くおそれがある。また、例えば、堆積インクに対して、堆積抑制インク（後がけインク）を吐出することによって堆積インクを溶解させて、堆積を抑制する制御を行うことも考えられる。しかし、既にインクの固着が進んだ状態では、堆積インクを溶かすために多量の後がけインクを吐出しなければならず、後がけインクの消費量が増大するおそれがある。
【０００５】
また別の課題として、記録ヘッドから吐出されたインクを収容するインク吸収体に、その吸収体が保持できる限界量を超えた量のインクが吐出された場合、吸収体からインクが溢れるおそれがある。吸収体からインクが溢れると、溢れ出たインクが記録装置の本体内部の基板などに付着し故障の原因となったり、また記録装置外へインクが漏れるおそれがある。
【０００６】
本発明は、上記課題に鑑みてなされたものであり、簡易な構成により早期にインク吸収体の状態を推定することができるインクジェット記録装置を提供することを目的とする。
【課題を解決するための手段】
【０００７】
上記目的を達成するため、本発明に係るインクジェット記録装置は、インクを吐出して記録を行う記録ヘッドと、前記記録ヘッドから吐出されたインクを収容するインク吸収体と、を備えるインクジェット記録装置であって、前記インク吸収体の所定の位置に向けて光を発する発光部と、当該発光部より発せられ前記インク吸収体より反射した光を受光する受光部とを有するセンサと、前記受光部が受光した光量に基づいて、前記インク吸収体の状態を推定する制御手段と、を備えることを特徴とする。
【発明の効果】
【０００８】
本発明によれば、簡易な構成により早期にインク吸収体の状態を推定することができるインクジェット記録装置を提供することができる。
【図面の簡単な説明】
【０００９】
【図１】第１実施形態に係るインクジェット記録装置を示す斜視図である。
【図２】第１実施形態に係る記録部の周辺を示す模式断面図である。
【図３】第１実施形態に係る記録部の構成を示す斜視図である。
【図４】第１実施形態に係る制御構成を示すブロック図である。
【図５】第１実施形態において縁なし記録を行う際の記録媒体とインク吸収体の関係を示す模式図である。
【図６】第１実施形態において縁なし記録を行う際の堆積インクのカウント領域を説明するための模式図である。
【図７】第１実施形態に係る検出センサの検出動作を説明するための模式図である。
【図８】第１実施形態に係る検出センサの出力結果を説明するための図である。
【図９】第１実施形態に係る制御を説明するためのフローチャートである。
【図１０】第１実施形態に係る堆積抑制制御を示すフローチャートである。
【図１１】第１実施形態に係る溢れ抑制制御を示すフローチャートである。
【図１２】第２実施形態に係る回復ユニットの模式図である。
【図１３】第２実施形態に係る制御を説明するためのフローチャートである。
【図１４】第３実施形態に係る制御を説明するためのフローチャートである。
【図１５】第４実施形態に係る制御を説明するためのフローチャートである。
【図１６】第５実施形態に係る検出センサによる検出動作を説明するための模式図である。
【図１７】第５実施形態に係る制御を説明するためのフローチャートである。
【図１８】第６実施形態に係るインクジェット記録装置を示す模式図である。
【図１９】第６実施形態に係る制御を説明するためのフローチャートである。
【図２０】第７実施形態に係る記録ヘッドを示す模式図である。
【図２１】第７実施形態に係る制御を説明するためのフローチャートである。
【発明を実施するための形態】
【００１０】
（第１実施形態）
以下、図面を参照しながら、本発明の第１実施形態に係るインクジェット記録装置について説明する。
【００１１】
図１は、本実施形態に係るインクジェット記録装置（記録装置）を示す斜視図である。本実施形態に係る記録装置１は、記録媒体を給送する給送部、記録媒体（シート）を搬送する搬送部、記録媒体に画像を記録する記録部、画像が記録された記録媒体を排出する排出部、記録部の記録性能を回復する回復部などから構成される。
【００１２】
給送部は、複数枚の記録媒体を積載する給送トレイや、給送トレイに積載された記録媒体を１枚ずつ記録装置内部に給送する給送ローラを有する。
【００１３】
搬送部は、給送部から給送された記録媒体を搬送する搬送ローラ４００や、搬送ローラと対向する位置に配され搬送ローラと共に記録媒体を挟持するピンチローラ４０１を有する。
【００１４】
記録部は、インクを吐出する吐出口が設けられた吐出口面が形成された記録ヘッド１０１と、記録ヘッド１０１を着脱自在に搭載するキャリッジ１００とを有する。キャリッジ１００は、キャリッジモータ１１０の駆動により、シャーシ１１１に取り付けられたタイミングベルト１１２を介してガイドシャフト１１３に沿ってＸ方向（キャリッジの移動方向）に往復移動可能に構成されている。記録媒体は、Ｘ方向と交差するＹ方向に搬送される。記録ヘッド１０１は、キャリッジ１００が往復移動している間に、記録ヘッド１０１と対向する位置に停止している記録媒体に対してインクを吐出することで画像を記録する。記録ヘッド１０１と対向する位置には、記録媒体の表面（第１面）と記録ヘッド１０１の吐出口面との距離を一定に保つように、記録媒体を下方より支持するプラテン３００が設けられている。プラテン３００には、記録媒体外に吐出されたインクを吸収するプラテン吸収体（インク吸収体）３０１が設けられている。
【００１５】
排出部は、画像が記録された記録媒体を記録装置外へ排出する排出ローラ４０２や、排出ローラと対向する位置において記録媒体を押さえる拍車ローラ４０３を有する。
【００１６】
回復部は、キャリッジ１００の移動方向における記録領域外において、記録ヘッド１０１の吐出口面１０２を覆うキャップ５００を有する。また、回復部は、キャップ５００が記録ヘッド１０１の吐出口面１０２を覆った状態においてチューブ５０２を介してキャップ５００と接続された吸引ポンプ５０３を駆動することによって記録ヘッド１０１からインクを吸引する吸引機構を有する。また、回復部は、記録ヘッドの吐出口面を拭払するワイパ５０６を有する。
【００１７】
次に記録部の周辺の構成について詳細に説明する。図２は、本実施形態に係る記録部の周辺を図１のＸ方向から見たときの模式断面図である。給送部から給送されてきた記録媒体Ｐは、Ｙ方向において記録ヘッド１０１の上流側に設けられた搬送ローラ４００とピンチローラ４０１とによって挟持して搬送される。また、記録媒体Ｐは、Ｙ方向において記録ヘッド１０１の下流側に設けられた排出ローラ４０２と拍車ローラ４０３とによっても挟持される。記録媒体Ｐは、搬送ローラ４００及びピンチローラ４０１と排出ローラ４０２及び拍車ローラ４０３との間に張力が発生した状態で、表面が平坦な状態に保たれたまま挟持搬送される。搬送される記録媒体Ｐは、下方よりプラテン３００により支持されている。
【００１８】
搬送される記録媒体Ｐは、搬送が停止している間に、Ｘ方向に移動するキャリッジ１００に搭載された記録ヘッド１０１の吐出口からインク滴が吐出されることによって、１バンド分（１改行分）の画像が記録される。１バンド分の画像が記録されると、記録媒体Ｐは、不図示の搬送モータにより搬送ローラ４００が駆動されることによって、Ｙ方向へ所定量搬送される。このキャリッジ１００の往復移動及び記録ヘッド１０１によるインク滴の吐出と、搬送ローラ４００による記録媒体Ｐの所定量ずつの搬送（間欠搬送）とが交互に繰り返されることによって、記録媒体Ｐ全体に１ページ分の画像が記録される。
【００１９】
図３は、本実施形態に係る記録部の構成を示す斜視図である。キャリッジ１００には、記録ヘッド１０１が着脱自在に搭載される。さらに、記録ヘッド１０１に対して９種類のインクタンク（インクカートリッジ）１０３が着脱自在に装着される。本実施形態に係る記録装置は９種類のインクによって画像を記録するものであり、記録ヘッド１０１に対して各々独立した９個のインクタンク１０３が装着される。本実施形態では、これら９種類のインクタンクは、それぞれシアン、マゼンタ、イエロー、ブラック、レッド、ライトシアン、ライトマゼンタ、グレイ、クリアインクの９種類の顔料インクを内部に収容（貯留）している。また、キャリッジ１００には、光を発する発光部２０１と、発光部より発光され正反射した光を受光する受光部２０２とを有する検出センサ（検出部）２００が設けられている。検出センサ２００は、キャリッジ１００の移動方向における所定位置の検査対象に対して発光部２０１より所定角度をもって光を発し、受光部２０２でその検査対象からの正反射光を受光する。検出センサ２００の詳細については後述する。
【００２０】
図４は、本実施形態に係る制御構成を示すブロック図である。図４において、ＣＰＵ１０００はメインバスライン１０１３を介して装置各部の制御およびデータ処理を実行する。ＣＰＵ１０００は、ＲＯＭ１００１に格納されているプログラムに従い、データ処理、記録ヘッド駆動およびキャリッジ駆動を制御し、記録動作、及び予備吐出を含むメンテナンス動作等を実行する。ＣＰＵ１０００は、インターフェース１００４を介してホスト装置との通信処理が可能である。ＲＡＭ１００２は、ＣＰＵ１０００によるデータ処理等のワークエリアとして用いられる。ＲＡＭ１００２は、記録動作に用いる記録データ、記録装置の回復動作、及び供給動作に係るパラメータ等を一時的に保存する。画像入力部１００３は、インターフェース１００４を介してホスト装置から入力された画像を一時的に保持する。また、ＣＰＵ１０００は、回復部による吸引動作等によるインクの消費量をカウントし廃インクを収容する廃インク収容部（廃インクパック）５０４に収容されている廃インク量を算出する。ＣＰＵ１０００は、インターフェース１００４を介して廃インク収容部５０４が満杯になった等の警告をホスト装置等に通知することができる。不揮発性メモリ１００５は、廃インク収容部５０４に収容されているインク量や、プラテン吸収体３０１に吐出されたインク量、吐出時刻、インクの種類等に関する情報を記憶し保存する。不揮発性メモリ１００５は、記録装置の電源がＯＦＦにされても情報を保持することができる。
【００２１】
回復系制御回路１００８は、ＲＡＭ１００２に格納された回復処理プログラムに従って回復系モータ１００９の駆動を制御する。回復系制御回路１００８は、回復系モータ１００９の駆動を制御することによって、キャップ５００の昇降動作、ワイパ５０６の拭払動作、吸引ポンプ５０３の吸引動作等の回復動作（クリーニング動作）を制御する。ヘッド駆動制御回路１０１０は、記録ヘッド１０１のインク吐出用の駆動を制御し、予備吐出や記録動作のためのインク吐出を記録ヘッド１０１に行わせる。キャリッジ駆動制御回路１０１１は、画像信号処理部１００６で処理された記録データに従ってキャリッジ１００の往復移動を制御し、また回復動作を行う際にキャリッジ１００の回復部への移動を制御する。搬送制御回路１０１２は、ＲＡＭ１００２に格納されたプログラムに従って搬送モータの駆動を制御する。搬送制御回路１０１２は、記録ヘッド１０１による１バンド分の画像データの記録が終了した後、次の１バンド分の画像データを記録するために記録データに従って記録媒体を所定量搬送する制御を行う。センサ制御部１００７は、検出センサ２００を制御する。センサ制御部１００７は、検出センサ２００に発光部２０１よりインク吸収体に対して光を発光させ、その正反射光を受光部２０２で受光させ、その正反射光の強度（光量）を電圧値として出力する。
【００２２】
図５は、本実施形態において縁なし記録を行う際の記録媒体とプラテン吸収体の関係を示す模式図である。プラテン３００は、搬送される記録媒体Ｐを下方より支持するために、キャリッジ１００の移動方向に延在して設けられている。記録ヘッド１０１は、縁なし記録を行う際、記録媒体Ｐの端部を超えた位置（記録媒体外）に対してもインクを吐出する。また、記録ヘッド１０１は、内部の増粘インクを排出するために、記録媒体外に対して記録に寄与しないインクを吐出する予備吐出動作を行う。プラテン３００には、記録媒体外に対してはみ出して吐出されたインクを収容するプラテン吸収体３０１が設けられている。プラテン吸収体３０１に収容されたインクは、その後、プラテン３００の下方より排出され、記録装置本体の下部に設けられた廃インク収容部５０４に排出（回収）されるように構成されている。なお、本実施形態において縁なし記録を行う際は、記録媒体の大きさよりも３ｍｍ程外側にはみ出した領域まで、記録ヘッド１０１によりインクが吐出される。
【００２３】
プラテン吸収体に所定量以上の固着し易いインクが吐出されると、プラテン吸収体上においてインクが固着し堆積してしまうおそれがある。本実施形態においては、９種類の顔料インクのうち、マゼンタインク、シアンインク、イエローインク、ブラックインク、レッドインクのような色が濃いインクは、固形成分を多く含み、固着し易くインク吸収体に吸収され難い。よって、これらのインクをインク吸収体に堆積しやすい「堆積インク」（第１のインク群）と分類する。一方、ライトシアンインク、ライトマゼンタインク、クリアインクのようなインクは、固形成分が少なく、固着し難くインク吸収体に吸収され易い。これらのインクは堆積した顔料インクの吸収を促進する作用もあることから、インク吸収体への堆積を抑制する「堆積抑制インク」（第２のインク群）と分類する。なお、ここでは固形成分の量に応じて堆積インクと堆積抑制インクとに分類したが、インクに含まれる溶剤や保湿剤の量に応じて堆積インクと堆積抑制インクとを分類しても良い。堆積抑制インクが溶剤等を多く含む場合、堆積インクの粘性の上昇を抑えて、堆積インクをインク吸収体により吸収しやすくすることができる。よって、顔料インクにおいて溶剤・保湿剤を多く含むものを堆積抑制インクとして分類しても良い。
【００２４】
図６は、本実施形態において縁なし記録を行う際の堆積インクのカウント領域を説明するための模式図である。本実施形態では、上述したように、縁なし記録を行う際には、記録媒体の領域Ｐよりも先端部、後端部、右端部および左端部にそれぞれ３ｍｍずつはみ出した領域に対してもインクを吐出する。図６では、このようなはみ出し領域を斜線で示し、このはみ出し領域を、先端部はみ出し領域、後端部はみ出し領域、右端部はみ出し領域、左端部はみ出し領域に分類している。右端部はみ出し領域および左端部はみ出し領域に対して吐出されたインクは、図５に示したプラテン吸収体３０１の右端部領域と左端部領域とにそれぞれ吸収される。また、先端部はみ出し領域および後端部はみ出し領域に吐出されたインクは、図５に示したプラテン吸収体３０１の先後端部領域に吸収される。なお、各領域の分割は上記例に限らず、堆積位置の検出精度を上げるためにさらに細かく分割しても良い。
【００２５】
ＣＰＵ１０００は、ホスト装置から縁なし記録を行う記録命令を受信すると、はみ出し領域に吐出される堆積インクのドット数を算出する。堆積インクのドット数の算出にあたっては、プラテン吸収体３０１の右端部領域に吐出されるインクのドット数、左端部領域に吐出されるインクのドット数、さらに先後端領域に吐出されるインクのドット数をインク種類ごとにカウントする。そして、堆積インクとなる顔料インクのカウント結果から、堆積抑制インクとなる顔料インクのドット数を差し引くことによって、堆積ドット数を算出する。すなわち、
堆積ドット数＝シアンドット数＋マゼンタドット数＋イエロードット数＋ブラックドット数＋レッドドット数−（ライトシアンドット数＋ライトマゼンタドット数＋グレイドット数＋クリアインクドット数）
となる。なお、本実施形態では、堆積インクのドット数と堆積抑制インクのドット数との差である堆積ドット数を算出することにより、プラテン吸収体３０１の各領域における堆積インクの堆積状況に関する情報を取得した。しかし、例えば、単に顔料インクのドット数のみを算出する構成としても良い。また、本実施形態では堆積インクの吐出発数をカウントしているが、堆積インクの吐出量や、その比率等を算出しても良い。
【００２６】
ＣＰＵ１０００は、ＲＯＭ１００１に予め格納されているテーブルを参照することによって、算出した各領域の堆積ドット数から、各領域に対して吐出するそれぞれの堆積抑制インクの吐出数（ドット数）を決定することができる。この堆積ドット数や堆積抑制インクの吐出数は、後述する制御で用いられる（図９、図１０）。
【００２７】
図７は、本実施形態に係る検出センサの検出動作を説明するための模式図である。検出センサ２００は、キャリッジ１００に設けられている。検出センサ２００は、発光部２０１と受光部２０２とを有する。本実施形態においては、発光部２０１は、光源であるＬＥＤを有し、プラテン吸収体３０１に対して所定の入射角（角度θ０）で光を発する。受光部２０２は、プラテン吸収体３０１から反射した光を受光する。受光部２０２は、入射角と反射角とがθ０でほぼ等しくなるような位置に配置されている。受光部２０２が有するフォトトランジスタは、発光部２０１の光源からの正反射を多く伝達する。受光部２０２に受光された光の光量は、検出センサ２００の内部で演算される。検出センサ２００は、光量が多いほど高い電圧値として出力する。
【００２８】
図８は、本実施形態に係る検出センサの出力結果を説明するための図である。プラテン吸収体３０１上でインクの堆積が起こる際、まずプラテン吸収体３０１の内部でインクが固着し、徐々にプラテン吸収体３０１の表面が埋まってくる（堆積兆候）。この堆積兆候が現れた後、プラテン吸収体３０１がインクを吸収できなくなると、インクの堆積が始まる。図８（ａ）は、プラテン吸収体３０１上において、ある所定位置Ｅで堆積兆候が現れている様子を示す模式図であり、図８（ｂ）は、図８（ａ）に対応した各位置での検出センサ２００の出力結果を示すグラフである。グラフは、検出センサ２００の受光部がプラテン吸収体３０１上の各位置からの正反射光を受光した際の検出センサ２００の出力値である電圧値を示している。グラフでは、堆積兆候が現れている所定位置Ｅにおいて電圧値にピークが見られ、電圧値が閾値Ｘ（ｖ）よりも大きな値になっている。これは堆積兆候が現れている位置では、インク吸収体の表面の凸凹が固着インクで埋まり始め、プラテン吸収体３０１の表面の滑らかさが変わって光沢度が上がり、周囲と比較して正反射光の強度が高くなるためである。このように、プラテン吸収体３０１上のインクの堆積兆候は、正反射光の強度（光量）を検出することによって判別することができる。また、プラテン吸収体３０１からのインクの溢れに関しても、同様に、プラテン吸収体３０１の内部がインクで満たされると、プラテン吸収体３０１の表面の滑らかさが変わってくるため、正反射光の強度（光量）を検出することによって判別することができる。このように、検出動作ではプラテン吸収体の光沢度を測定することによって、プラテン吸収体が異常な状態であるか、すなわちプラテン吸収体上にインクの堆積または溢れが生じているかを検知することができる。
【００２９】
次に、以上説明した記録装置の構成における本実施形態に係る制御についてフローチャートを用いて説明する。図９は、本実施形態においてインク吸収体に対して検出動作を行い、その後、堆積抑制制御または溢れ抑制制御を実行するまでの工程を説明するためのフローチャートである。本制御は記録動作の終了後に開始される。まずステップＳ１１において、キャリッジ１００はプラテン吸収体上におけるはみ出し領域に移動し、検出センサ２００による検出動作を行う。すなわち、プラテン吸収体３０１上の各位置において、発光部２０１は所定角度θ０で光を発し、受光部２０２はその正反射光を受光する。ステップＳ１２において、受光した光量を電圧値に変換して出力し、その電圧値が閾値Ｘ（ｖ）以上であるか否かを判断する。電圧値が閾値Ｘ（ｖ）以上である場合、ステップＳ１３へ進む。なお、このときの電圧値が閾値Ｘ（ｖ）以上か否かの判断は、初期に検出した出力値と今回検出した出力値とを比較して両者の差分が閾値以上か否かを判断しても良いし、予め測定し誤差評価されて記憶されたプラテン吸収体の検出値と比較して判断しても良い。
【００３０】
ステップＳ１３では、電圧値が所定値Ｘ（ｖ）以上であった位置において、記録命令の受信時にカウントした、はみ出し領域に吐出されたインクの堆積ドット数が所定値Ｙ（ｄｏｔ）以上であるか否かを判断する。堆積ドット数が所定値Ｙ（ｄｏｔ）以上である場合、堆積兆候があると推定して、ステップＳ１４へ進む。ステップＳ１４では、後述する堆積抑制制御を行う。また、堆積ドット数が所定値Ｙ（ｄｏｔ）未満である場合、インクの溢れのおそれがあると推定して、ステップＳ１５へ進む。ステップＳ１５では、後述する溢れ抑制制御を実行する。なお、インクの堆積と溢れとを判別する方法は、上記のドットカウントによる方法に限定されない。例えば、インクの堆積は湿度に影響することが多く低湿度では堆積が起こり易いことが分かっているため、湿度センサで記録装置が設置されている環境の湿度を検知して所定湿度以上の湿度であれば堆積ではなく溢れであると推定する構成にしても良い。このように湿度の検知結果に基づいた制御も可能である。
【００３１】
次に、本実施形態に係る堆積抑制制御について説明する。図１０は、本実施形態に係る堆積抑制制御を示すフローチャートである。堆積抑制制御は、図９のステップＳ１４において実行される。本実施形態では、堆積抑制制御の１例として、堆積インクに対して堆積抑制インクを吐出する後がけ制御について説明する。図１０のステップＳ１４１では、検出センサ２００により電圧値が所定値Ｘ（ｖ）以上であると検出された所定位置を含む領域へキャリッジ１００を移動させる。ステップＳ１４２では、予め算出した堆積抑制インクのドット数を取得する。具体的には、下記式により、ステップＳ１３で取得した堆積ドット数に所定の係数Ｂを掛けて堆積抑制インクのドット数を算出する。
【００３２】
吐出する堆積抑制インクのドット数＝Ｂ×堆積ドット数
係数Ｂは、堆積インクに対して堆積抑制インクを吐出したときの効果を事前に検討・評価して設定された係数である。ここでは、堆積ドット数と吐出する堆積抑制インクのドット数を比例関係として算出している。インクの堆積は環境依存性が大きいため、係数Ｂは温度や湿度等の環境によって変化する係数としても良い。なお本実施形態においては、予め記録動作前に記録データから堆積ドット数や堆積抑制インクの吐出ドット数を計算して取得しているが、記録動作終了後に計算しても良いし、例えばステップＳ１４２で計算しても良い。ステップＳ１４３では、ステップＳ１４２で取得した堆積抑制インクの吐出量分の堆積抑制インクの吐出を行う。ここで、図５の先後端部領域のようにプラテン吸収体上の広い領域に亘って堆積インクが検出された場合、キャリッジを複数回往復移動させながら堆積抑制インクを吐出しても良い。また、堆積インクが検出された領域が狭ければ、検知された領域上にキャリッジを停止させて堆積抑制インクを吐出しても良い。堆積抑制インクの吐出が終了すると、後がけ制御である当該堆積抑制制御は終了する。
【００３３】
なお、本実施形態では、縁なし記録によりプラテン吸収体のはみ出し領域に吐出されたインクの堆積抑制について述べた。しかし、予備吐出によりプラテン吸収体に吐出されたインクの堆積抑制、予備吐出により予備吐受けに吐出されたインクの堆積抑制、予備吐出によりキャップに吐出されたインクの堆積抑制等に、本発明を適用しても良い。また、堆積抑制制御として、堆積に対する清掃を促す表示をしたり、縁なし記録を制限して縁なし記録の実行を禁止したり、警告・エラー表示等を行っても良い。
【００３４】
次に、本実施形態に係る溢れ抑制制御について説明する。図１１は、本実施形態に係る溢れ抑制制御を示すフローチャートである。溢れ抑制制御は、図９のステップＳ１５において実行される。本実施形態では、溢れ抑制制御の１例として、記録動作を行う前に所定時間待機するウェイト制御について説明する。図１１のステップＳ１５１では、不図示の時間測定部が秒単位で時間計測を開始する。ステップＳ１５２では、この測定時間が所定時間を経過するまで待機する。このとき、次の記録命令を受信しても記録動作を開始しない。所定時間が経過すると、溢れ抑制制御を終了する。以上の動作を行うことによって、プラテン吸収体上の所定位置で一時的に溢れていたインクがプラテン吸収体の下方または周囲へ浸透していき、インクの溢れが解消した状態で次の記録動作を開始することができる。
【００３５】
なお、本実施形態は、記録前に所定時間の待機を行う構成であるが、次の記録動作中に１改行分の記録が終了する毎に所定時間の待機を行う構成としても良い。また、その他にも、インクが溢れているおそれがあると推定された所定位置が予備吐出を行う予備吐出位置であれば、予備吐出において吐出周波数を所定値より小さくして遅くするなどして時間をかけて吐出を行うことによりインクの溢れを抑制しても良い。また、所定位置が予備吐出位置であれば、吐出する位置をプラテン吸収体上の隣接した、インクの溢れが生じていない位置に変更するなどの制御を行っても良い。また、プラテン吸収体の下方にポンプが連通してポンプを駆動して廃インクを排出する構成であれば、ポンプを駆動してプラテン吸収体の内部のインクを排出することにより、インクの溢れを抑制しても良い。
【００３６】
また、本実施形態では、検出センサがキャリッジに設けられている構成としたが、検出センサの位置はこれに限定されず、プラテン吸収体や予備吐受けに対して光を発し正反射光を検出しやすい位置であれば任意の場所に設けて良い。例えば、縁なし記録におけるはみ出し領域の直上の位置に固定して設けても良い。
【００３７】
以上、本実施形態によれば、簡易な構成によりインク吸収体上のインクの堆積または溢れの兆候を精度良く検出し、当該インクの堆積または溢れを抑制することができる。
【００３８】
（第２実施形態）
次に、図面を参照しながら、本発明の第２実施形態について説明する。なお、第１実施形態と同様の構成についてはその説明を省略する。
【００３９】
上述したように図１のキャリッジ１００の下方（キャリッジの移動方向における記録領域外）には、回復部（回復ユニット）が配置されている。回復ユニットは、記録ヘッドが吐出口からインクを正常に吐出できるように、所定のタイミングで記録ヘッド１０１に対して回復動作を行う。
【００４０】
図１２は、本実施形態に係る回復ユニットの模式図である。上述したように、回復ユニットは、各種回復動作を行う際に記録ヘッド１０１の吐出口面１０２を覆うキャップ５００を有している。キャップ５００内において、記録ヘッドの吐出口面１０２と対向する位置にはキャップ吸収体（インク吸収体）５０１が設けられている。キャップ吸収体５０１と記録ヘッドの吐出口面１０２との間には、微小な空間が設けられている。キャップ５００は下方においてチューブ５０２を介して吸引ポンプ５０３と連通している。吸引ポンプ５０３が駆動されると、記録ヘッド１０１とキャップ５００の間の空間に負圧が発生し、記録ヘッド１０１の吐出口からインクが吸引される。吸引されたインクは、チューブ５０２を介して接続された廃インク収容部５０４へ排出される。このように、記録ヘッド１０１の吐出口からインクを吸引することにより、記録ヘッド内のインク固着や泡の混入などを防止することができる。
【００４１】
次に、本実施形態に係る制御について図１３のフローチャートを用いて説明する。本制御は記録動作の終了後に開始される。図１３のステップＳ２１では、プラテンに設けられたプラテン吸収体（第１のインク吸収体）及びキャップに設けられたキャップ吸収体（第２のインク吸収体）に対して上述した検出センサによる検出動作を行う。ステップＳ２２では、検出動作における検出センサの出力結果の電圧値が閾値Ｘ（ｖ）以上であるか否かを判断する。電圧値が閾値Ｘ（Ｖ）以上であれば、ステップＳ２３へ進む。ステップＳ２３では、電圧値が閾値Ｘ（ｖ）以上であると検出した検出位置がキャップ上（キャップ吸収体上）の位置であるか否かを判断する。検出位置は、ガイドシャフトＭ４０２０のＸ方向の延長線上に設けられている不図示のエンコーダにより、キャリッジの移動方向における位置を検知することによって検出することができる。ステップＳ２３で検出位置がキャップ上であると判断された場合、ステップＳ２４へ進む。ステップＳ２４では、キャップを５０１を記録ヘッド１０１に当接させ、キャップ５００が記録ヘッドの吐出口面１０２を覆った状態で吸引ポンプ５０３を駆動して内部を負圧にすることにより、記録ヘッド１０１の吐出口からインクを吸引する吸引動作を行う。この吸引動作によって、キャップ吸収体５０１上の堆積インクは、記録ヘッド１０１の吐出口から吸引されたインクに浸されることにより溶解し、またキャップ吸収体５０１内のインクは廃インク収容部へと排出される。すなわちこの吸引動作によって、キャップ吸収体５０１におけるインクの堆積および溢れが解消される。
【００４２】
一方、ステップＳ２３で検出位置がキャップ上（キャップ吸収体上）でない、すなわちプラテン上（プラテン吸収体上）であると判断された場合は、ステップＳ２５へ進む。ステップＳ２５では、プラテン吸収体３０１上の所定位置において堆積抑制制御または溢れ抑制制御を行う。これらの制御は第１実施形態で説明した制御と同様である。
【００４３】
以上、本実施形態によれば、キャップ吸収体におけるインクの堆積および溢れを吸引動作により解消することによって、堆積抑制制御や溢れ抑制制御に要する時間を削減することができる。また、堆積抑制制御として後がけ制御を行う場合には、後がけ制御に要する堆積抑制インクの廃インク量を低減することができる。
【００４４】
（第３実施形態）
次に、図面を参照しながら、本発明の第３実施形態について説明する。なお、上記実施形態と同様の構成についてはその説明を省略する。
【００４５】
本実施形態に係る制御について図１４のフローチャートを用いて説明する。本制御は記録動作の終了後に開始される。まずステップＳ３１では、第１実施形態と同様に、検出センサによる検出動作を行う。ステップＳ３２では、ステップＳ３１の検出動作における検出センサの出力結果の電圧値が閾値Ｘ（ｖ）以上であるか否かを判断する。電圧値が所定値Ｘ（ｖ）以上であればステップＳ３３へ進む。ステップＳ３３では、所定時間Ｔ（ｓ）が経過するまで待機する（ウェイト）。所定時間Ｔ（ｓ）の待機後、ステップＳ３４では、再度検出センサによる検知動作を行う。そして、ステップＳ３５では、ステップＳ３４の再度の検出動作における検出センサの出力結果の電圧値が閾値Ｘ（ｖ）以上であるか否かを判断する。電圧値が閾値Ｘ（ｖ）以上であれば、ステップＳ３６へ進み、堆積抑制制御を実行する。堆積抑制制御については、第１実施形態と同様である。ステップＳ３２またはステップＳ３５において、電圧値が閾値Ｘ（ｖ）以上であれば、堆積抑制制御を実行することなく本制御を終了する。
【００４６】
本実施形態に係る制御では、検出センサによる検出動作を行った後、所定時間待機後に再度検出センサによる検出動作を行っている。検出センサによって電圧値が閾値Ｘ（ｖ）以上であると検出された検出位置において、その検出結果がインクの溢れに起因するものであった場合、所定時間の待機中に一時的に溢れたインクが周囲に浸透して溢れが収まると考えられる。そして再度の検出動作では検出結果の電圧値は低くなっていると考えられる。一方、その検出結果がインクの堆積に起因するものであった場合は、所定時間待機しても当該検出位置における検出結果は変わらない。このように所定時間待機後に再度検出動作を行うことによって検出位置においてインクの堆積が起こっているのか、インクの溢れが起こっているのかを判別することができる。
【００４７】
以上、本実施形態によれば、検知動作を所定のタイミングで２回行うことによりインク吸収体の検出位置におけるインクの堆積と溢れとを判別することができ、さらに溢れ抑制制御を省略した簡易な制御によりインクの堆積と溢れを抑制することができる。
【００４８】
（第４実施形態）
次に、図面を参照しながら、本発明の第４実施形態について説明する。なお、上記実施形態と同様の構成についてはその説明を省略する。
【００４９】
本実施形態に係る制御について図１５のフローチャートを用いて説明する。本制御は記録動作の終了後に開始される。まずステップＳ４１では、記録データから当該記録動作が縁なし記録であったか否かを判断する。縁なし記録であった場合、ステップＳ４２へ進む。ステップＳ４２では、不図示の湿度センサにより記録装置が設置されている環境の湿度を測定し、測定された湿度が所定湿度以下であるか否かを判定する。ステップＳ４２で湿度が所定湿度以下であれば、ステップＳ４３へ進む。ステップＳ４３では、はみ出し領域に吐出されたインクの堆積ドット数が所定値Ｙ以上であるか否かを判断する。堆積ドット数の算出方法は第１実施形態と同様である。ステップＳ４３で堆積ドット数が所定値Ｙ以上であった場合、インクの堆積が生じていると推定して、ステップＳ４４へ進み、検出センサによる検出動作を行う。そして、ステップＳ４５では、ステップＳ４４の検出動作における検出センサの出力結果の電圧値が閾値Ｘ（ｖ）以上であるか否かを判断する。電圧値が閾値Ｘ（ｖ）以上であればステップＳ４６へ進み、堆積抑制制御を行う。堆積抑制制御については、第１実施形態と同様である。
【００５０】
一方、ステップＳ４２で湿度が所定湿度より大きい場合、またはステップＳ４３で堆積ドット数が所定値Ｙ未満であった場合は、ステップＳ４７へ進む。ステップＳ４７では、所定時間内に所定量以上のインクが吐出されたか否かを判断する。ステップＳ４７で所定時間内に所定量以上のインクが吐出されたと判断された場合、インクの溢れが起こっていると推定して、ステップＳ４８へ進み、検出センサによる検出動作を行う。そして、ステップＳ４９では、ステップＳ４８の検出動作における検出センサの出力結果の電圧値が閾値Ｘ（ｖ）以上であるか否かを判断する。電圧値が閾値Ｘ（ｖ）以上であればステップＳ５０へ進み、溢れ抑制制御を行う。溢れ抑制制御については、第１実施形態と同様である。
【００５１】
以上、本実施形態によれば、検出動作を行う前に事前にインク吸収体においてインクの堆積とインクの溢れのどちらが生じているおそれがあるかを推定している。この推定後に検出動作を行っているため、検出動作を行う機会を減らすことができ、待機時間を削減することができる。
【００５２】
（第５実施形態）
次に、図面を参照しながら、本発明の第５実施形態について説明する。なお、上記実施形態と同様の構成についてはその説明を省略する。
【００５３】
第２実施形態において図１２を用いて説明したように、キャップ５００はチューブ５０２を介して吸引ポンプ５０３、廃インク収容部５０４と連通している。吸引動作を行う際、吸引ポンプ５０３が駆動されると、記録ヘッド１０１の吐出口からインクが吸引される。吸引されたインクは廃インク収容部５０４へ排出される。図１６（ａ）に本実施形態に係る廃インク収容部５０４の模式図を示す。廃インク収容部５０４の内部には、廃インク吸収体（インク吸収体）５０５が設けられている。廃インク吸収体５０５は、チューブ５０２から排出されてきた廃インクを所定量保持することができる。
【００５４】
本実施形態では、廃インク収容部５０４に設けられた廃インク吸収体５０５のインクの堆積または溢れを検出する検出センサ２００を、廃インク収容部５０４の上部に配置する構成としている。検出センサ２００は、光を発する発光部２０１と、光を受光する受光部２０２とを有する。発光部２０１は廃インク吸収体５０５に対して所定角度θ０で光を発し、受光部２０２は廃インク吸収体５０５からの正反射光を受光する。
【００５５】
本実施形態に係る制御について図１７のフローチャートを用いて説明する。本制御は、回復ユニットによる吸引動作（クリーニング動作）が終了すると開始される。まずステップＳ５１では、廃インク吸収体５０５に対して検出センサ２００による検出動作を行う。ステップＳ５２では、ステップＳ５１の検出動作による検出結果の電圧値が閾値Ｘ（ｖ）以上であるか否かを判断する。電圧値が閾値Ｘ（ｖ）以上である場合、次のステップＳ５３へ進む。ステップＳ５３では、不揮発性メモリ１００５に保存されている廃インク収容部内の廃インク量が所定量以上であるか否かを判断する。この所定量としては、例えば廃インク収容部の容積に相当する量が設定される。ステップＳ５３で廃インク量が所定量以上であった場合、図１６（ｂ）に示すように、廃インク収容部５０４内がインクで満たされているために廃インク吸収体５０５上の正反射光の強度が変化していると推定される。そこで、ステップＳ５４へ進み、不図示の操作表示部やホスト装置等に廃インク収容部が満杯になった旨の表示を行い、ユーザーに対して廃インク収容部の交換を促す。
【００５６】
一方、ステップＳ５３で廃インク量が所定量未満であった場合、ステップＳ５５へ進み、操作表示部やホスト装置等にユーザーによっては回復することができないサービスエラーである旨を表示する。廃インク量が所定量に達していないにもかかわらず、廃インク吸収体５０５上の正反射光の強度が高いと検出されるのは、例えば検出センサの故障等が原因として考えられるため、検出センサの交換等の対応が必要となるからである。
【００５７】
また、インクが固着しやすい低湿度の環境に置かれている場合や、特に固着し易いインクをユーザーが使用している場合などにおいては、廃インク吸収体の内部でインクが固着することも考えられる。例えば、廃インク収容部５０４とチューブ５０２の接続部付近でインクが固着し、インク詰まりが発生することも考えられる。そこで、図１６（ｃ）に示すように、廃インク吸収体５０５とチューブ５０２の境界部付近に検出センサ２００を配置して、廃インク吸収体５０５上の正反射光の強度を測定することによってインクの固着を検出する構成を採用することもできる。この構成においてインク詰まりが発生した場合、図１７の制御では、ステップＳ５２で電圧値が閾値以上であるが、ステップＳ５３で廃インク量が所定量未満である場合に該当し、ステップＳ５５で操作表示部等にサービスエラーである旨を表示する。
【００５８】
以上、本実施形態によれば、廃インク吸収体に対して検出動作による検出動作を行うことにより、廃インクパックの交換時期等をユーザーが正確に把握することができる。また、検出センサの故障や廃インクパックの流路内の固着等も検知することができる。
【００５９】
（第６実施形態）
次に、図面を参照しながら、本発明の第６実施形態について説明する。なお、上記実施形態と同様の構成についてはその説明を省略する。
【００６０】
図１８は、本実施形態に係る記録装置を示す模式図である。図１８は、図１に示す記録装置からキャリッジ、モータ、搬送機構等を取り外して簡易的に描いた模式図である。図１８（ａ）は記録装置の平面図であり、図１８（ｂ）は記録装置の正面図である。図において、３０１はプラテン吸収体であり、不図示のキャリッジの移動方向に延在して設けられている。プラテン３００には、縁なし記録時の記録媒体外へのインクの吐出位置および予備吐出時のインクの吐出位置に対応する位置に連通口３０２が設けられている。プラテン３００の下方には、廃インク吸収体（インク吸収体）６０１が設けられている。廃インク吸収体６０１は、記録装置の底部の全域に亘って敷き詰められている。プラテン吸収体３０１上に吐出されたインクは、連通口３０２を通ってプラテン３００の下方の廃インク吸収体６０１へ移動する。また、６００は回復ユニットである。回復ユニット６００は、第２実施形態で図１２を用いて説明したものと同様に、記録ヘッドの吐出口面を覆うキャップを有している。キャップは、チューブを介して吸引ポンプ、廃インク吸収体６０１と連通している。吸引ポンプを駆動すると、記録ヘッドからインクが吸引され、吸引されたインクは廃インク吸収体６０１へ排出される。６０２は記録装置の周囲を覆う外装である。外装６０２の隅部には、検出センサ２００が配置されている。検出センサ２００は、上記実施形態と同様の構成である。本実施形態では、検出センサ２００は、廃インク吸収体６０１に対して光を発し、その正反射光を受光する。
【００６１】
本実施形態に係る制御について図１９のフローチャートを用いて説明する。本制御は、記録動作またはクリーニング動作が終了すると開始される。まずステップＳ６１では、図１７のステップＳ５３と同様に、不揮発性メモリ１００５に保存されている廃インク吸収体６０１内の廃インク量が所定量以上であるか否かを判断する。この所定量としては、例えば廃インク吸収体６０１がインクを保持できる限界量が設定される。ステップＳ６１で廃インク量が所定量以上であった場合、ステップＳ６２へ進み、廃インク吸収体６０１に対して検出センサ２００による検出動作を行う。次のステップＳ６３では、ステップＳ６２の検出動作による検出結果の電圧値が閾値Ｘ（ｖ）以上であるか否かを判断する。ステップＳ６３で電圧値が閾値Ｘ（ｖ）以上であった場合、図１８（ｃ）に示すように、インクが廃インク吸収体６０１の全域に行き渡り、廃インク吸収体６０１の表面の正反射の強度が変化している状態であると推定される。この状態では、廃インク吸収体６０１からインクの溢れが生じているおそれがある。そこで、ステップＳ６４へ進み、操作表示部やホスト装置等に廃インク吸収体が満杯になった旨の表示を行う。
【００６２】
一方、ステップＳ６３で電圧値が閾値Ｘ（ｖ）未満であった場合は、ステップＳ６５へ進む。このとき、ステップＳ６１で廃インク量が所定量以上であると判断されたにもかかわらず、ステップＳ６３で電圧値が閾値Ｘ（ｖ）未満であると判断され廃インク吸収体６０１からインクの溢れが生じていない。これは、廃インク吸収体のインクから水分が蒸発し、廃インク吸収体の保持容量がわずかに増加した状態であると推定される。しかしながら、吸引動作に伴って排出されるインクを収容するだけの容量は残っていないと推定されることから、ステップＳ６５では、吸引動作を抑制するモード（クリーニング抑制モード）へ設定する。クリーニング抑制モードとは、所定のタイミングになっても吸引動作を行わせない、または吸引動作の吸引回数や吸引量を減らすモードである。このようなモードに設定することで、廃インク吸収体に排出されるインク量を少なくすることができ、廃インク吸収体の使用可能期間を延ばすことができる。
【００６３】
なお、本実施形態において、第３実施形態のように、検知動作後に所定時間待機し再度検知動作を行うことにより、廃インク吸収体が一時的にインクで溢れていたのか、満杯なったのかを推定しても良い。
【００６４】
（第７実施形態）
次に、図面を参照しながら、本発明の第７実施形態について説明する。なお、上記実施形態と同様の構成についてはその説明を省略する。
【００６５】
図２０は、本実施形態に係る記録ヘッドを示す模式図である。本実施形態に係る記録装置はフルライン型の記録装置であり、記録媒体Ｐの全幅の範囲に亘ってインクを吐出可能なライン型記録ヘッドを備えている。ライン型記録ヘッドは、インクを吐出する吐出口が記録媒体Ｐの搬送方向（Ｙ方向）と交差する方向に沿って複数配置された吐出口面を有している。図２０（ａ）に示すように、本実施形態に係る記録装置は、各色それぞれのインクを吐出する各ライン型記録ヘッド（７０１〜７０７）を備えている。図において、７０１はクリアインク、７０２はシアン（Ｃ）インク、７０３はマゼンタ（Ｍ）インク、７０４はイエロー（Ｙ）インク、７０５はブラック（Ｋ）インクをそれぞれ吐出するライン型記録ヘッドである。記録媒体Ｐは、記録媒体Ｐの下方（裏面）と接触し、不図示の駆動機構により回転することによって記録媒体と共にＹ方向に移動する搬送ベルトによって搬送される。Ｙ方向に搬送される記録媒体Ｐに対して各色のライン型記録ヘッド（７０１〜７０７）からインクを吐出することで記録媒体Ｐに画像が形成される。７０６，７０７はインク吸収体である。インク吸収体７０６，７０７は、搬送ベルトにおいてライン型記録ヘッド（７０１〜７０７）により記録媒体外に吐出されたインクを吸収できる位置に設けられている。
【００６６】
図２０（ｂ）は、図２０（ａ）において１つの記録ヘッド部分を拡大した図である。７０８，７０９は検出センサである。検出センサ７０８，７０９は、上記実施形態と同様の構成である。検出センサ７０８，７０９は、シアン（Ｃ）インクを吐出する記録ヘッド７０２、または記録ヘッド７０２を保持する不図示のヘッドホルダに設けられている。検出センサ７０８，７０９は、記録媒体の搬送方向において記録ヘッド７０２の下流側に設けられている。すなわち、シアン（Ｃ）インクを吐出する記録ヘッド７０２とクリアインクを吐出する記録ヘッド７０１の間に設けられている。検出センサ７０８は、インク吸収体７０６に対して光を発する発光部と、インク吸収体７０６からの正反射光を受光する受光部とを有している。また検出センサ７０９は、インク吸収体７０７に対して光を発する発光部と、インク吸収体７０７からの正反射光を受光する受光部とを有している。検出センサ７０８，７０９は、上記実施形態と同様に、正反射光の強度（光沢度）を検出することによって、インク吸収体７０６，７０７上のインクの堆積または溢れを検知することができる。
【００６７】
本実施形態に係る制御について図２１のフローチャートを用いて説明する。本制御はＣ，Ｍ，Ｙ，Ｋのインクによる記録動作後に開始される。まずステップＳ７１では、インク吸収体７０６，７０７に対して検出センサ７０８，７０９による検出動作を行う。ステップＳ７２では、検出動作における検出結果の電圧値がＸ（ｖ）以上であるか否かを判断する。電圧値がＸ（ｖ）以上であれば、ステップＳ７３へ進む。ステップＳ７３では、ＣＰＵが記録媒体外に吐出されたＣ，Ｍ，Ｙ，Ｋのインクの総ドット数（総インク量）を算出する。総ドット数が所定値Ｚ以上の場合は、堆積が生じていると推定し、ステップＳ７４へ進む。ステップＳ７４では、検出動作において電圧値がＸ（ｖ）以上であると検出された検出位置に対して、記録ヘッド７０１により堆積抑制インクであるクリアインクを吐出する。この堆積抑制吐出動作によってインク吸収体上の検出位置におけるインクの堆積を抑制することができる。この堆積抑制吐出動作は、Ｃ，Ｍ，Ｙ，Ｋのインクによる記録動作の直後に記録媒体Ｐへクリアインクを吐出するときに行っても良いし、記録媒体Ｐへのクリアインクの吐出後、搬送ベルトが周回した後に行っても良い。
【００６８】
なお、本実施形態では、検出センサ７０８，７０９はシアン（Ｃ）インクを吐出する記録ヘッド７０２とクリアインクを吐出する記録ヘッド７０１の間に設ける構成とした。しかし、本発明はこれに限定されず、例えば各記録ヘッドに対してそれぞれ検出センサを設け、それぞれの検出センサが検出動作を行う構成としても良い。検出センサは、記録ヘッドやヘッドホルダのみならず、記録装置内の任意の位置に配置しても良い。例えば、記録媒体の搬送方向において記録ヘッドの下流側に検出センサを儲け、堆積抑制制御によってインクの堆積が抑制されたかを確認する制御を行うこともできる。このように配置した検出センサの位置に応じたさまざまな制御を行うことができる。
【００６９】
以上、本発明は、フルライン型の記録装置にも適用することができる。
【符号の説明】
【００７０】
１  記録装置
１０１  記録ヘッド
２００  検出センサ
３０１  プラテン吸収体
５０１  キャップ吸収体
５０５  廃インク吸収体
【図１】
2018069616.tif 000003
【図２】
2018069616.tif 000004
【図３】
2018069616.tif 000005
【図４】
2018069616.tif 000006
【図５】
2018069616.tif 000007
【図６】
2018069616.tif 000008
【図７】
2018069616.tif 000009
【図８】
2018069616.tif 000010
【図９】
2018069616.tif 000011
【図１０】
2018069616.tif 000012
【図１１】
2018069616.tif 000013
【図１２】
2018069616.tif 000014
【図１３】
2018069616.tif 000015
【図１４】
2018069616.tif 000016
【図１５】
2018069616.tif 000017
【図１６】
2018069616.tif 000018
【図１７】
2018069616.tif 000019
【図１８】
2018069616.tif 000020
【図１９】
2018069616.tif 000021
【図２０】
2018069616.tif 000022
【図２１】
2018069616.tif 000023